(57)【要約】【課題】電源コードをスムーズに巻き取れず、電気掃除機の使い勝手が低下する。【解決手段】電気掃除機は、外壁に吸入口を有する集塵タンク２２と、集塵タンク２２の上側にて着脱自在であり、集塵タンク２２内と連通するための吸込開口を有し、電源コード４５を巻回したコードリールと電動送風機とを内蔵し、電源コード４５を出入りさせるためのコード巻取口４６を有している本体ユニット２１と、集塵タンク２２の下側に位置し、走行用車輪３２を有する車輪ベース本体３１と、を備えており、車輪ベース本体３１は、コード巻取口４６の下方に、電源コード４５を通過させるための第二コード巻取口４７を有する。【選択図】図４
2018068590.tif 000002
【特許請求の範囲】
【請求項１】
外壁に吸入口を有する集塵タンクと、
前記集塵タンクの上側にて着脱自在であり、前記集塵タンク内と連通するための吸込開口を有し、電源コードを巻回したコードリールと電動送風機とを内蔵し、前記電源コードを出入りさせるためのコード巻取口を有している本体ユニットと、
前記集塵タンクの下側に位置し、走行用車輪を有する車輪ベース本体と、を備え、
前記車輪ベース本体は、前記コード巻取口の下方に、前記電源コードを通過させるための第二コード巻取口を有する、電気掃除機。
【請求項２】
前記第二コード巻取口は、断面略Ｃ形状であり、一端に前記電源コードを着脱するための開口部が設けられている、請求項１に記載の電気掃除機。
【請求項３】
前記第二コード巻取口の内周縁は、前記電源コードの巻取り方向に向かって略Ｒ形状に形成されている、請求項１または２に記載の電気掃除機。
【請求項４】
前記コードリールは、前記コードが巻回される軸を水平方向とするように配設されている、請求項１または２に記載の電気掃除機。
【請求項５】
前記コードリールは、前記電動送風機に対して水平方向に並ぶ位置に配設されている、請求項４に記載の電気掃除機。
【発明の詳細な説明】
【技術分野】
【０００１】
本発明は、一般家庭または業務用等で使用される電気掃除機に関するものである。
【背景技術】
【０００２】
従来のこの種の電気掃除機として、図６に示されるようなものがあった（例えば、特許文献１参照）。図６は、従来の電気掃除機の中央縦断面図である。
【０００３】
図６において、従来の電気掃除機は、筒型の掃除機本体２０の集塵タンク２２の前部に吸入口２３を有しており、掃除機本体２０の上部には、電動送風機４１、電動送風機４１の上方には、電源コード４５を巻き取るコードリール４２を備えたコード巻取り装置４３が横置き配置され、掃除機本体２０の上部側面にコード巻取口４６が備えられ、コード巻取り装置４３の上方には、掃除機本体２０の持ち運び用のハンドル（図示せず）が、掃除機本体２０の垂直方向に配置構成されているのが一般的であった。
【先行技術文献】
【特許文献】
【０００４】
【特許文献１】特開平６−２６９３８４号公報
【発明の概要】
【発明が解決しようとする課題】
【０００５】
上記従来の電気掃除機の構成では、電源コード４５をスムーズに巻き取れない場合があり、使い勝手が低下する課題がある。例えば、電源コード４５を巻取る際、巻取り勢いから、電源コード４５のプラグ４５ａが跳ね上がってしまい、電源コード４５の巻取り性が悪化する場合がある。また、電源コード４５を巻き取る際に、電源コード４５がコードリール４２の巻き取り回転方向側へ移動し、コードリール４２の側壁に噛み込まれて摩擦抵抗が大きくなり、電源コード４５の巻き取り性が悪化する場合がある。
【課題を解決するための手段】
【０００６】
本発明の電気掃除機は、外壁に吸入口を有する集塵タンクと、集塵タンクの上側にて着脱自在であり、集塵タンク内と連通するための吸込開口を有し、電源コードを巻回したコードリールと電動送風機とを内蔵し、電源コードを出入りさせるためのコード巻取口を有している本体ユニットと、集塵タンクの下側に位置し、走行用車輪を有する車輪ベース本体と、を備えており、車輪ベース本体は、コード巻取口の下方に、電源コードを通過させるための第二コード巻取口を有している。
【発明の効果】
【０００７】
本発明の電気掃除機は、掃除機本体の上部に配置されたコード巻取口と、掃除機本体の下方に配置された第二コード巻取口とにより、電源コードのプラグの跳ね上がりを抑制させることを可能とし、電源コードをスムーズに巻き取ることができる使い勝手の良い電気掃除機を提供できる。
【図面の簡単な説明】
【０００８】
【図１】本発明の実施の形態１における電気掃除機の全体斜視図
【図２】同電気掃除機の正面断面図
【図３】同電気掃除機の側面断面図
【図４】同電気掃除機の後方からの外観を示す斜視図
【図５】同電気掃除機の第二コード巻取口を示す斜視図
【図６】従来の電気掃除機の中央縦断面図
【発明を実施するための形態】
【０００９】
本発明に係る電気掃除機は、外壁に吸入口を有する集塵タンクと、集塵タンクの上側にて着脱自在であり、集塵タンク内と連通するための吸込開口を有し、電源コードを巻回したコードリールと電動送風機とを内蔵し、電源コードを出入りさせるためのコード巻取口を有している本体ユニットと、集塵タンクの下側に位置し、走行用車輪を有する車輪ベース本体と、を備えており、車輪ベース本体は、コード巻取口の下方に、電源コードを通過させるための第二コード巻取口を有している。これにより、掃除終了時、電源コードを巻き取る際、掃除機本体の下方に配設され第二コード巻取口が、電源コードの巻取り方向を床面と水平方向にさせ、巻取り勢いから電源コードのプラグの跳ね上げを抑制できる。
【００１０】
また、本発明に係る電気掃除機において、第二コード巻取口は、断面略Ｃ形状であり、一端に電源コードを着脱するための開口部が設けられている。これにより、電源コードを第二コード巻取口にセットする作業が容易となる。
【００１１】
また、本発明に係る電気掃除機において、第二コード巻取口の内周縁は、電源コードの巻取り方向に向かって略Ｒ形状に形成されている。これにより、電源コードと側壁の摩擦抵抗が低減され、スムーズに巻き取られることが可能となる。
【００１２】
また、本発明に係る電気掃除機において、コードリールは、コードが巻回される軸を水平方向とするように配設されている。これにより、掃除終了時等、電源コードを巻き取る際、電源コードは、コードリールの巻き取り回転方向側へ移動しにくく、コードリールの側壁に噛み込まれる摩擦抵抗が低減され、スムーズに巻き取られるとともに、スムーズに出し入れできる。
【００１３】
また、本発明に係る電気掃除機において、コードリールは、電動送風機に対して水平方向に並ぶ位置に配設されている。これにより、本体ユニットのスペースを有効活用し、コンパクト化が図れる。また、水平方向、すなわち、左右に電動送風機収納室とコードリールの重量物を配置しているため、運搬用のハンドルを持って、持ち運ぶ際、掃除機本体のバランスがよく片方向に傾くことが防止され手首に負担をかけることなく、持ち運び性を向上できる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気掃除機の全体斜視図、図２は、同電気掃除機の正面断面図、図３は、同電気掃除機の側面断面図、図４は、同電気掃除機の後方からの外観を示す斜視図、図５は、同電気掃除機の第二コード巻取口を示す斜視図である。
【００１６】
図１〜５において、本実施の形態における電気掃除機は、本体ユニット２１と金属製の集塵タンク２２を備えた掃除機本体２０と、この集塵タンク２２の前部の外壁に設けた吸入口２３に接続されるホース２４と、ホース２４の先端に設けられた接続パイプ２５と、接続パイプ２５に接続される延長管２６と、延長管２６の先端に設けられ塵埃を吸引する開口部（図示せず）を有する吸込具２７とを有している。
【００１７】
金属製の集塵タンク２２内には塵埃を捕集する集塵袋２８が装着され、塵埃を集塵する集塵容器２９が内蔵されている。本体ユニット２１と、集塵タンク２２は、クランプ３０を用いて、着脱自在に係止される構成となっている。
【００１８】
集塵タンク２２の下側には、集塵タンク２２を載置する車輪ベース本体３１が配置され、車輪ベース本体３１の下部には、掃除機本体２０が自由に移動できるよう前輪３３と後輪３４からなる走行用車輪３２が備えられている。
【００１９】
図２〜４において、本体ユニット２１は、本体ケース下３５と、本体ケース上３６を有しており、本体ケース上３６の上面で中央部に掃除機本体２０の運搬用のハンドル３７が具備されている。
【００２０】
本体ユニット２１は、ハンドル３７付近を中心として、左右に、すなわち、水平方向に並ぶ位置に、電動送風機収納室３８とコードリール収納室３９とを有している。電動送風機収納室３８の下方には、集塵袋２８を通過した空気中の細かな塵埃を濾化し、電動送風機収納室３８に塵埃が侵入することを防止するフィルター４０が配置されている。フィルター４０の上方には、電動送風機４１と、集塵タンク２２とが、連通する吸込開口４０ａが設けられている。
【００２１】
コードリール収納室３９は、コード巻取り装置４３が縦置きになるように、縦向きに配置されている。電動送風機収納室３８は、電動送風機４１が縦置きになるように、縦向きに配設されている。
【００２２】
すなわち、コードリール収納室３９には、コードリール４２を備えたコード巻取り装置４３が縦置きに配置した状態で収納されていて、コードリール４２は、電源コード４５が巻回される軸を水平方向とするように配設されている。本体ケース上３６の上面に形成されたコードリールボタン４４を操作することにより、電源コード４５が巻き取られるようになっている。本体ケース上３６の側面には、電源コード４５が出入りするためのコード巻取口４６が形成されている。
【００２３】
コード巻取口４６の下方で、車輪ベース本体３１に、断面略Ｃ形状の第二コード巻取口４７が配置され、電源コード４５は、第二コード巻取口４７を連通、すなわち、通過させるよう構成されている。
【００２４】
電動送風機４１を駆動すると、吸入口２３に接続したホース２４から吸い込まれた空気中の塵埃が集塵タンク２２に蓄積されるとともに、電動送風機収納室３８の下方に配設されたフィルター４０によりさらに微細な塵埃が濾化されて電動送風機収納室３８へ導かれ、電動送風機４１から排出された空気は、本体ユニット２１に形成された、排気口４８より排出される。
【００２５】
また、掃除終了時等、電源コード４５を収納する際は、コードリールボタン４４を操作して電源コード４５をスムーズに巻き取らせる。
【００２６】
以上のように、本実施の形態における電気掃除機は、ハンドル３７付近を中心として、左右に電動送風機収納室３８とコードリール収納室３９とを縦置きに配置しているため、本体ユニット２１のスペースを有効活用し、コンパクト化が図れる。また、左右に電動送風機収納室３８とコードリール収納室３９の重量物を配置しているため、運搬用のハンドル３７を持って持ち運ぶ際、掃除機本体２０のバランスがよい。したがって、片方向に傾くことが防止され、手首に負担をかけることなく持ち運び性を向上できる。
【００２７】
また、コードリール収納室３９を縦置きとしているため、掃除終了時等、コードリールボタン４４を操作して電源コード４５を巻き取る際、電源コード４５は、水平方向のねじれが抑制され、コードリール４２の巻き取り回転方向側へ移動しにくい。したがって、コ
ードリール４２の側壁４９に噛み込まれる摩擦抵抗が低減され、スムーズに巻き取られるとともに、スムーズに出し入れできる。さらに、電源コード４５は、掃除機本体２０の下方に配設された第二コード巻取口４７を通過するため、電源コード４５の巻取り方向は、床面と水平方向となり、巻取り勢いから電源コード４５のプラグの跳ね上げを抑制できる。
【００２８】
図５において、略Ｃ形状の第二コード巻取口４７は、車輪ベース本体３１に配置されている。第二コード巻取口４７は、車輪ベース本体３１の表面から板状の片として立ち上がり、電源コード４５を覆うように断面が略Ｃ形状をしている。第二コード巻取口４７の一端には、電源コード４５を着脱できるよう、車輪ベース本体３１との間に隙間を設けるための開口部５０が備えられている。
【００２９】
また、第二コード巻取口４７が電源コード４５と摺動する、内周縁の全周稜線には、電源コード４５の巻取り方向に向かって、角Ｒ形状５１が形成されている。
【００３０】
上記構成より、電源コード４５を略Ｃ形状の第二コード巻取口４７にセットする作業が容易となり組み立て性が向上する。また、電源コード４５が意図せずに第二コード巻取口４７から外れることが抑制される。さらに、電源コード４５が収納される際、第二コード巻取口４７の角Ｒ形状５１が、電源コード４５との摩擦抵抗を低減し、スムーズに巻き取られることが可能となる。
【産業上の利用可能性】
【００３１】
本発明に係る電気掃除機は、電源コードを巻回したコードリールを内蔵した本体ユニットと集塵タンクとを備えた、家庭用、業務用等の電気掃除機に有用である。
【符号の説明】
【００３２】
２０  掃除機本体
２１  本体ユニット
２２  集塵タンク
２３  吸入口
２４  ホース
２５  接続パイプ
２６  延長管
２７  吸込具
２８  集塵袋
２９  集塵容器
３０  クランプ
３１  車輪ベース本体
３２  走行用車輪
３３  前輪
３４  後輪
３５  本体ケース下
３６  本体ケース上
３７  ハンドル
３８  電動送風機収納室
３９  コードリール収納室
４０  フィルター
４０ａ  吸込開口
４１  電動送風機
４２  コードリール
４３  コード巻取り装置
４４  コードリールボタン
４５  電源コード
４５ａ  プラグ
４６  コード巻取口
４７  第二コード巻取口
４８  排気口
４９  側壁
５０  開口部
５１  角Ｒ形状
【図１】
2018068590.tif 000003
【図２】
2018068590.tif 000004
【図３】
2018068590.tif 000005
【図４】
2018068590.tif 000006
【図５】
2018068590.tif 000007
【図６】
2018068590.tif 000008